(57)【要約】【課題】入球部への入球確率が安定する状態で遊技者に遊技を行わせる。【解決手段】本実施形態例に係るパチンコ機Ｐは、遊技盤２０の遊技領域２１に配設された始動口２３に誘導可能な第１通路部（誘導部材）８０を備えており、この第１通路部８０は、遊技領域２１に固定された前側支持体５１の第１凹部（係合部）５１ｃと係合可能な第１凸部（取付部）６０ｇと、遊技領域２１に固定された後側支持体５２の第２凹部（係合部）５２ｅと係合可能な第２凸部（取付部）６０ｈとを有している。そして、第１凸部６０ｇは、第１凹部５１ｃに対して隙間を介して取り付けられるとともに、第２凸部６０ｈは、第２凹部５２ｅに対して隙間を介して取り付けられている。【選択図】図１７
2020195422.tif 000002
【特許請求の範囲】
【請求項１】
遊技球が流下する遊技領域を有する遊技盤と、前記遊技領域に配設された所定の入球部と、遊技球を前記入球部に誘導可能な誘導部材とを備え、
前記誘導部材は、前記遊技領域に設けられた係合部に対して係合可能な取付部を有しており、
前記取付部は、前記係合部に対して隙間を介して取り付けられる、ことを特徴とする遊技機。
【請求項２】
前記取付部は、前記誘導部材から水平の一方向に突出する第１係合凸部と、該第１係合凸部と反対の他方向に突出する第２係合凸部とを有しており、
前記係合部は、前記第１係合凸部と係合可能な第１係合凹部と、前記第２係合凸部と係合可能な第２係合凹部とを有しており、
前記取付部が前記係合部に取り付けられた状態において、前記第１係合凸部と前記第１係合凹部との上下方向における前記隙間の大きさと、前記第２係合凸部と前記第２係合凹部との上下方向における前記隙間の大きさとは、互いに異なるように設定されている、ことを特徴とする請求項１に記載の遊技機。
【発明の詳細な説明】
【技術分野】
【０００１】
本発明は、遊技球を入賞口に誘導する誘導通路を備えている遊技機に関する。
【背景技術】
【０００２】
従来、発射装置によって発射された遊技球を始動口等の入賞口（入球部）に誘導する誘導通路を備えた遊技機が知られている。例えば特許文献１に記載の遊技機は、遊技盤の遊技領域の中央部分にセンター飾りを配設しており、このセンター飾りには誘導通路が形成されている。この誘導通路は、遊技球を受け入れる入口と、左右方向に延びる第１滞留部と、皿状部材を有した第２滞留部とを備えており、皿状部材の中央には遊技球を排出する出口が設けられている。入口から受け入れられた遊技球は、第１滞留部を経由して第２滞留部に到達した後に、皿状部材の転動面上を転動して出口から排出される。排出された遊技球は、出口の下方に配設された始動口に入球可能になっている。
【先行技術文献】
【特許文献】
【０００３】
【特許文献１】特開２００７−１８５４３６号公報
【発明の概要】
【発明が解決しようとする課題】
【０００４】
しかしながら、上記のような遊技機においては、不正を行う遊技者が遊技機に対して外部振動を付与すると、該外部振動が遊技盤等を介して皿状部材に伝達されるため、該皿状部材上の遊技球の動きを意図的にコントロールすることが可能となっている。例えば、弱い外部振動を継続的に付与することによって遊技球の動きを故意に遅らせたり、強い外部振動を付与することによって遊技球の進行方向を強制的に変えたりすることにより、不正に始動口への入球確率を高める行為が行われることが問題となっていた。そこで、このような問題に対処するために、始動口（入球部）への入球確率が安定する状態で遊技者に遊技を行わせることが強く望まれていた。
【０００５】
本発明は、上記した実情に鑑みてなされたものであり、その目的は、入球部への入球確率が安定する状態で遊技者に遊技を行わせることができる遊技機を提供することにある。
【課題を解決するための手段】
【０００６】
上記の課題を解決するため、本発明は、遊技球が流下する遊技領域を有する遊技盤と、前記遊技領域に配設された所定の入球部と、遊技球を前記入球部に誘導可能な誘導部材とを備え、前記誘導部材は、前記遊技領域に設けられた係合部に対して係合可能な取付部を有しており、前記取付部は、前記係合部に対して隙間を介して取り付けられる、ことを特徴とする。
【０００７】
また、上記構成において、本発明は、前記取付部は、前記誘導部材から水平の一方向に突出する第１係合凸部と、該第１係合凸部と反対の他方向に突出する第２係合凸部とを有しており、前記係合部は、前記第１係合凸部と係合可能な第１係合凹部と、前記第２係合凸部と係合可能な第２係合凹部とを有しており、前記取付部が前記係合部に取り付けられた状態において、前記第１係合凸部と前記第１係合凹部との上下方向における前記隙間の大きさと、前記第２係合凸部と前記第２係合凹部との上下方向における前記隙間の大きさとは、互いに異なるように設定されている、ことを特徴とする。
【発明の効果】
【０００８】
本発明によると、入球部への入球確率が安定する状態で遊技者に遊技を行わせることができる。
【図面の簡単な説明】
【０００９】
【図１】本実施形態例に係るパチンコ機の外観を示す正面図である。
【図２】図１に示すパチンコ機の外観を示す斜視図である。
【図３】図１に示すパチンコ機の背面図である。
【図４】図１に示すパチンコ機が備えられる遊技盤の正面図である。
【図５】図４に示す遊技盤に設けられた導入通路の正面図である。
【図６】（ａ）は図４に示す第１振分装置が非可動状態にあるときの正面図であり、（ｂ）は同第１振分装置が可動状態にあるときの正面図である。
【図７】図４に示す遊技盤に設けられた第１振分装置と誘導ユニットを示す斜視図である。
【図８】誘導ユニットの正面図である。
【図９】誘導ユニットの上面図である。
【図１０】誘導ユニットの斜視図である。
【図１１】誘導ユニットを正面側から見た分解斜視図である。
【図１２】誘導ユニットを背面側から見た分解斜視図である。
【図１３】螺旋通路の正面図である。
【図１４】螺旋通路の背面図である。
【図１５】螺旋通路の上面図である。
【図１６】螺旋通路の斜視図である。
【図１７】螺旋通路が保持された状態を示す説明図である。
【図１８】（ａ）は図４に示す第２振分装置が非可動状態にあるときの断面図であり、（ｂ）は同第２振分装置が可動状態にあるときの断面図である。
【図１９】図７に示す誘導通路上に設けられた螺旋通路の変形例を示す斜視図である。
【発明を実施するための形態】
【００１０】
発明の実施の形態について図面を参照して説明すると、図１，２に示すように、本発明の実施形態例に係るパチンコ機（遊技機）Ｐは、遊技場の島設備に設置される縦長方形状の外枠１と、外枠１に扉状に開閉自在に取り付けられる内枠２と、内枠２の前面に扉状に開閉自在に取り付けられる前扉３等を備えている。内枠２は後述する遊技盤（図４参照）を保持しており、前扉３はガラスやプラスチック等からなる透明板４を保持している。透明板４は、前扉３の中央に形成された開口部３ａを塞ぐように前扉３に取り付けられている。
【００１１】
前扉３には、透明板４の下方に遊技球を収容可能な上段受皿５および下段受皿６が設けられており、下段受皿６の右側方に遊技球の発射操作を行うための操作ハンドル７が設けられている。また、前扉３には、透明板４の上方から左側方にかかる部位を囲むように装飾レンズ８が設けられ、透明板４の右上方に回転灯ユニット９が設けられ、回転灯ユニット９の真下であって透明板４の右側方にサイドパネルユニット１０が設けられ、上段受皿５の前面中央に演出操作ボタンユニット１１が設けられ、透明板４の左右下方と上方に複数（本例では４つ）のスピーカ１２ａ〜１２ｄが設けられている。
【００１２】
上段受皿５には、パチンコ機Ｐの側方に設置された図示せぬ遊技球貸出装置により貸し出される遊技球や、パチンコ機Ｐの賞球払出装置（図３参照）から払い出される賞球が導かれるようになっており、この上段受皿５が遊技球で一杯になると、その後に貸し出されたり払い出されたりする遊技球は下段受皿６に導かれるようになっている。操作ハンドル７は遊技者が所定方向へ向けて回転操作できるように形成されており、遊技者が操作ハンドル７を回転操作すると、上段受皿５に収容されている遊技球が遊技盤の下方に配設された発射装置（図示せず）に送られる。そして、この発射装置により操作ハンドル７の回転角度に応じた強度で遊技球が発射されるようになっている。
【００１３】
装飾レンズ８の内部には複数のＬＥＤ（図示せず）が設けられており、これらＬＥＤが遊技の進行に伴って種々の色や発光パターンで発光するという演出が行われるようになっている。回転灯ユニット９には環状に配置した複数のＬＥＤ（図示せず）が設けられており、各ＬＥＤが配置順に点灯と消灯を繰り返すことにより、恰も回転灯が発光しているような演出を実行できるようになっている。サイドパネルユニット１０は前方に向けて突出するように形成された略長方形薄板状の装飾用装置であって、この装置に内装されたデザインシート（図示せず）の視認性を高めるためのものである。演出操作ボタンユニット１１は、遊技の進行に伴って実行される演出の切り替え等を行えるようになっている。スピーカ１２ａ〜１２ｄは、遊技の進行に応じて遊技に関する様々な音を出力するようになっている。
【００１４】
図３に示すように、このパチンコ機Ｐの背面側には、遊技に関する主要な処理を行う主制御基板１３と、主制御基板１３からの指令を受けてスピーカ１２ａ〜１２ｄ等の各種演出装置を制御する副制御基板１４と、賞球を上段受皿５に払い出す賞球払出装置１５と、主制御基板１３からの指令を受けて賞球払出装置１５を制御する払出制御基板１６と、操作ハンドル７の回転操作量に応じて発射装置の作動を制御する発射制御基板１７と、大当たり回数等の各種情報を遊技場のホールコンピュータに出力する外部端子基板１８等が設けられている。主制御基板１３には、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装されており、このＣＰＵがＲＯＭに格納された各種プログラムやデータを読み込んで実行することにより、遊技に関する主要な処理が行われる。
【００１５】
また、主制御基板１３は、後述する第１振分装置を開閉動作させる第１ソレノイド、および後述する第２振分装置を開閉動作させる第２ソレノイドと電気的に接続されている。パチンコ機Ｐに電源が投入されている状態では、常時、主制御基板１３のＣＰＵは、第１ソレノイドに第１振分装置を開閉動作させるように制御するとともに、第２ソレノイドに第２振分装置を開閉動作させるように制御する。
【００１６】
次に、図４を参照して本実施形態例の遊技盤について説明する。なお、以下においては、遊技盤に形成された遊技領域の右側領域については詳細な説明は省略する。図４に示す遊技盤２０は、内枠２に収納・保持されており、透明板４（図１，２参照）を介して目視可能になっている。遊技盤２０は発射装置によって発射された遊技球が流下する遊技領域２１を有しており、遊技領域２１は遊技盤２０の前面にてガイドレール２２等によって略円形状に区画されている。
【００１７】
遊技領域２１には、遊技球の入球が大当たり抽選の実行契機となる始動口（入球部）２３と、遊技球を始動口２３に誘導する誘導通路２４と、誘導通路２４の入口に遊技球を受け入れ可能にする第１振分装置２５と、誘導通路２４の出口から排出される遊技球を始動口２３に入球可能にする第２振分装置２６とが設けられている。誘導通路２４は、第１振分装置２５に振り分けられた遊技球が通過する入口側の第１通路部（誘導部材）８０と、第１通路部８０を通過した遊技球を第２振分装置２６まで案内する出口側の第２通路部９０とを有している。第１通路部８０は、遊技球を受け入れる入口と、この入口から受け入れられた遊技球が落下する落下通路７０と、落下通路７０から排出された遊技球が第２通路部９０に到達するまでの経路を延長させる螺旋通路６０とを有している。第２通路部９０は、遊技領域２１の左右方向に沿って延在するステージ６１に設けられているとともに、遊技球を排出する出口を有している。
【００１８】
また、遊技領域２１には、遊技球を第１振分装置２５に導く導入通路２７と、遊技球を遊技盤２０の背面側に排出するアウト口２８と、始動口２３の左側方に設けられ、所定個数（例えば４個）の賞球を払い出し可能にする一般入賞口２９と、遊技に関する各種演出を表示する演出表示装置３０とが配設されている。なお、図示は省略されているが、このパチンコ機Ｐにおいては、遊技領域２１の左側領域において、複数の釘が導入通路２７よりも上流側に設けられた左上領域Ａ、およびステージ６１と一般入賞口２９との間に挟まれた左下領域Ｂにそれぞれ配設されている。
【００１９】
操作ハンドル７が遊技者によって任意角度に回転操作されると、発射装置が上段受皿５に貯留された遊技球を遊技領域２１に向けて連続的に打ち出すようになっている。例えば大当たり遊技が行われていないとき、遊技者は遊技領域２１の左上領域Ａに向かって遊技球を打ち出すように発射装置を操作し、打ち出された遊技球は、左上領域Ａに配設された複数の釘に衝突し、不規則に運動しながら導入通路２７に向かって流下していく。
【００２０】
導入通路２７は、図５に示すように、上下方向に延びるように形成されており、左上領域Ａから流下した遊技球を誘導通路２４の入口側に配設されている第１振分装置２５に導くようになっている。この導入通路２７は、左右両側に立設されている左側壁部２７ａおよび右側壁部２７ｂと、これらの間に立設されている複数の突起部２７ｃとを有しており、遊技球２個分に相当する通路幅を確保している。導入通路２７に至った遊技球は、突起部２７ｃに対して左側通路または右側通路を流下したり、これら通路を入れ替えながら流下して第１振分装置２５に到達する。
【００２１】
第１振分装置２５は、図示せぬ第１ソレノイドによって作動する電動役物であり、釘を有していない領域に配設されている。第１ソレノイドは、円筒状のコイル内に配置された固定鉄芯やこの固定鉄芯の下方に配置された可動部材等から構成され、コイルに電流を流したときに発生する磁場によって、可動部材を固定鉄芯に吸い寄せるように動作させる公知のアクチュエータである。
【００２２】
第１振分装置２５は、図６に示すように、前記第１ソレノイドにリンク機構（図示せず）を介して連結された可動片２５ａを有している。この可動片２５ａは、遊技盤２０の盤面に対して垂直な軸２５ｂを中心として回動することが可能となっている。
【００２３】
第１ソレノイドに通電されていないとき、可動片２５ａは図６（ａ）に示す非可動状態にある。この状態では、誘導通路２４の入口は可動片２５ａによって塞がれており、遊技球は誘導通路２４に受け入れられないようになっている。そして、受け入れられなかった遊技球は、遊技盤２０の左下領域Ｂを通ってアウト口２８または一般入賞口２９に向かう方向に振り分けられるようになっている。なお、このとき、遊技球は始動口２３には入球しないようになっている。
【００２４】
一方、第１ソレノイドに通電されているとき、可動片２５ａは図６（ａ）に示す非可動状態から反時計回りに回動し、図６（ｂ）に示す可動状態にある。この状態では、誘導通路２４の入口は可動片２５ａによって露呈されているとともに、可動片２５ａが遊技球を誘導通路２４に案内可能になっており、遊技球は誘導通路２４に受け入れられ易くなっている。そして、受け入れられた遊技球は、誘導通路２４に向かう方向に振り分けられるようになっている。なお、図６（ｂ）に示す可動片２５ａの先端部と該先端部に対して左方に配置された壁部２５ｃとの間には、遊技球１個分に相当する通路幅が確保されており、この間を通った遊技球は遊技盤２０の左下領域Ｂを通ってアウト口２８または一般入賞口２９に向かう方向に導かれるようになっている。ただし、図６（ｂ）に示す可動状態では、ほとんどの遊技球が誘導通路２４に向かう方向に導かれるようになっている。また、図６（ｂ）に示す可動状態が終了すると、可動片２５ａは時計回りに回動し、図６（ａ）に示す非可動状態に戻るようになっている。
【００２５】
第１振分装置２５が遊技球を誘導通路２４に向かう方向に振り分ける割合は、可動片２５ａの開放時間および閉鎖時間を調整することにより、任意に設定することができる。例えば導入通路２７から１００球の遊技球が流下した場合に、第１振分装置２５は、２５球の遊技球を誘導通路２４に向かう方向に振り分けるようにし、７５球の遊技球をアウト口２８または一般入賞口２９に向かう方向に振り分けるようにしてもよい。
【００２６】
図７に示すように、第１振分装置２５に振り分けられた遊技球は，第１通路部８０の落下通路７０を通って螺旋通路６０の受入部６０ａ（図１５参照）に落下した後、この螺旋通路６０上を転動してから第２通路部９０に排出されるようになっている。これら螺旋通路６０と、第２通路部９０、第２振分装置２６および始動口２３は、一体化された部品として取り扱うことのできる誘導ユニット１００を構成している。以下、この誘導ユニット１００の構成について詳細に説明する。
【００２７】
図８〜図１２に示すように、誘導ユニット１００は、遊技盤２０の遊技領域２１に固定されるベース本体５０と、ベース本体５０に固定される半割構造の前側支持体５１および後側支持体５２と、これら前側支持体５１と後側支持体５２に保持される螺旋通路６０と、によって構成されている。このように前側支持体５１および後側支持体５２は、ベース本体５０を介して遊技領域２１に固定されている。
【００２８】
ベース本体５０は、前面板５０ａと、前面板５０ａの上端部から左右斜め上方向に延びる支持板部５０ｂとを有しており、支持板部５０ｂの左端部に前方に突出する受部５０ｃが設けられている。第２振分装置２６は前面板５０ａの上部中央に設けられており、前面板５０ａの裏側に第２振分装置２６の前記第２ソレノイドを含む駆動機構が設けられている。また、始動口２３は前面板５０ａの下部中央に設けられており、前面板５０ａの前方には、始動口２３を目視可能な透明カバー５３が取り付けられている。この透明カバー５３の背面側には、第２振分装置２６と始動口２３との間に位置する屋根型形状の阻止板５４が設けられており、この阻止板５４よりも下方の左右位置には一対の風車５５が設けられている。
【００２９】
前側支持体５１は、ベース本体５０の支持板部５０ｂに沿って延びるレール部５１ａを有しており、レール部５１ａの背面板５１ｂの左端部には角孔形状の第１凹部（第１係合凹部）５１ｃが設けられている。
【００３０】
後側支持体５２は、前側支持体５１の背面板５１ｂに接合される壁板部５２ａを有しており、壁板部５２ａの中央部には後方に突出する袋状の案内部５２ｂが設けられている。また、壁板部５２ａの左端部には後方に突出する底板部５２ｃが設けられており、底板部５２ｃの周縁部には平面的に見てくの字状に屈曲するガイド壁５２ｄが立設されている。さらに、ガイド壁５２ｄの左端部には角孔形状の第２凹部（第２係合凹部）５２ｅが設けられており、ガイド壁５２ｄの右側上端部にはスリット状の第３凹部５２ｆが設けられている。なお、前側支持体５１の第１凹部５１ｃと、後側支持体５２の第２凹部５２ｅとが本発明を構成する「係合部」に相当している。
【００３１】
前側支持体５１と後側支持体５２は、前後方向に接合・一体化されることでステージ６１を構成するようになっている。具体的には、前側支持体５１の背面板５１ｂをベース本体５０の支持板部５０ｂの裏面に接合すると共に、後側支持体５２の壁板部５２ａを前側支持体５１の背面板５１ｂに接合し、この状態で図示せぬネジを用いて前側支持体５１と後側支持体５２をベース本体５０に固定することにより、前側支持体５１のレール部５１ａと後側支持体５２のガイド壁５２ｄが連通して前述した第２通路部９０となる。
【００３２】
その際、レール部５１ａの最下部に後側支持体５２の案内部５２ｂによって開口６２（図７参照）が形成され、この開口６２を介してレール部５１ａと第２振分装置２６とが連通される。これにより、第２通路部９０を流下した遊技球が第２振分装置２６に案内され、前述したように第２振分装置２６の下方に始動口２３が配設されているため、第２振分装置２６は、第２通路部９０から開口６２を通った遊技球を始動口２３に入球可能となっている。また、レール部５１ａの左端部はベース本体５０の受部５０ｃ上に載置され、前側支持体５１の第１凹部５１ｃと後側支持体５２の第２凹部５２ｅとが前後方向に所定間隔を存して対向する。
【００３３】
このように接合・一体化された前側支持体５１と後側支持体５２に対して螺旋通路６０が保持されるようになっている。図１３〜図１６に示すように、この螺旋通路６０は、第１通路部８０（図７参照）の落下通路７０を通った遊技球が排出される受入部６０ａと、受入部６０ａから背面側に向かって下方傾斜する傾斜部６０ｂと、傾斜部６０ｂの下流側に連続して螺旋状に延びる転動部６０ｃと、転動部６０ｃの下流側に形成された排出孔６０ｄとを有しており、この排出孔６０ｄが第２通路部９０の上流側に連続するようになっている。受入部６０ａには、三角形状のガイド突起６０ｅが設けられており、このガイド突起６０ｅによって落下通路７０から落下した遊技球が傾斜部６０ｂにスムーズに導かれるようになっている。
【００３４】
また、螺旋通路６０は、傾斜部６０ｂの下方に台座部６０ｆを有しており、この台座部６０ｆには、前側支持体５１の第１凹部５１ｃに係合可能な第１凸部（第１係合凸部）６０ｇと、後側支持体５２の第２凹部５２ｅに係合可能な第２凸部（第２係合凸部）６０ｈとが設けられている。第１凸部６０ｇは、遊技盤２０の前面側に水平に突出しており、第２凸部６０ｈは遊技盤２０の背面側に水平に突出している。また、螺旋通路６０の右側下端部には、後側支持体５２の第３凹部５２ｆに係合する第３凸部６０ｉが設けられており、この第３凸部６０ｉは遊技盤２０の正面から見て右側方に水平に突出している。なお、前側支持体５１の第１凸部６０ｇと、後側支持体５２の第２凸部６０ｈとが本発明を構成する「取付部」に相当している。
【００３５】
螺旋通路６０が前側支持体５１と後側支持体５２に保持された状態では、螺旋通路６０の第１凸部６０ｇと前側支持体５１の第１凹部５１ｃとの間、螺旋通路６０の第２凸部６０ｈと後側支持体５２の第２凹部５２ｅとの間、および螺旋通路６０の第３凸部６０ｉと後側支持体５２の第３凹部５２ｆとの間に、それぞれ所定の隙間が介在されるようになっている。そのため、第１凸部６０ｇ、第２凸部６０ｈおよび第３凸部６０ｉは、前後、左右、および上下方向に所定間隔だけ移動することが許容されている。したがって、第１通路部８０の螺旋通路６０は隙間に起因するガタつきを持って前側支持体５１と後側支持体５２に保持されるようになっている。
【００３６】
次に、図１７を参照して、螺旋通路６０の第１凸部６０ｇと前側支持体５１の第１凹部５１ｃと、および螺旋通路６０の第２凸部６０ｈと後側支持体５２の第２凹部５２ｅとの位置関係について説明する。この図に示すように、第１凸部６０ｇと第１凹部５１ｃとの上下方向における隙間の大きさＧ１は、第２凸部６０ｈと第２凹部５２ｅとの上下方向における隙間の大きさＧ２よりも小さく設定されている。
【００３７】
具体的には、第１凹部５１ｃの高さ寸法Ｌと第２凹部５２ｅの高さ寸法Ｌは同じ値となっており、第１凸部６０ｇの厚みＬ１は、第２凸部６０ｈの厚みＬ２よりも大きくなっている。そのため、第１凹部５１ｃの高さ寸法Ｌから第１凸部６０ｇの厚みＬ１を減算して得られる隙間の大きさＧ１（＝Ｌ−Ｌ１）は、第２凹部５２ｅの高さ寸法Ｌから第２凸部６０ｈの厚みＬ２を減算して得られる隙間の大きさＧ２（＝Ｌ−Ｌ２）より小さく設定されている（Ｇ１＜Ｇ２）。
【００３８】
ここで、遊技球が螺旋通路６０の受入部６０ａから傾斜部６０ｂを通るとき、第１凸部６０ｇと第１凹部５１ｃとの間、および第２凸部６０ｈと第２凹部５２ｅとの間に、それぞれ隙間が介在しているので、遊技球の自重によって螺旋通路６０が遊技盤２０の背面側に傾いてしまう。しかしながら、上記のように第１凸部６０ｇと第１凹部５１ｃとの上下方向における隙間の大きさＧ１は、第２凸部６０ｈと第２凹部５２ｅとの上下方向における隙間の大きさＧ２より小さく設定されているので、第１凸部６０ｇの上端部が第１凹部５１ｃの上部に衝突することで、螺旋通路６０が遊技盤２０の背面側に所定角度以上傾かないようになっている。そのため、傾斜部６０ｂを通過した遊技球が転動部６０ｃの入口付近で停止してしまうことがなくなり、螺旋通路６０に受け入れられた遊技球を排出孔６０ｄまで確実に導くことができる。
【００３９】
このように、螺旋通路６０の第１凸部６０ｇが前側支持体５１の第１凹部５１ｃに隙間を介して係合しており、螺旋通路６０の第２凸部６０ｈが後側支持体５２の第２凹部５２ｅに隙間を介して係合している。また、これら第１凸部６０ｇと第２凸部６０ｈとは左右方向において反対側の位置で、螺旋通路６０の第３凸部６０ｉが後側支持体５２の第３凹部５２ｆに隙間を介して係合している。そして、さらに、螺旋通路６０の底部が前側支持体５１の背面板５１ｂおよび後側支持体５２のガイド壁５２ｄ上に載置されている。このようにして、螺旋通路６０は前側支持体５１と後側支持体５２に保持されるようになっている。
【００４０】
このような誘導ユニット１００では、第１振分装置２５に振り分けられた遊技球は、落下通路７０と螺旋通路６０から構成される第１通路部８０を経由して第２通路部９０に導かれた後に、ステージ６１の開口６２を通って第２振分装置２６に導かれるようになっている。
【００４１】
図１８に示すように、第２振分装置２６は図示せぬ第２ソレノイドによって作動する電動役物であり、この第２振分装置２６も釘を有していない領域に配設されている。第２ソレノイドは、上述した第１ソレノイドと同様に、可動部材を固定鉄芯に吸い寄せるように動作させる公知のアクチュエータである。
【００４２】
第２振分装置２６は、図１８（ａ），（ｂ）に示すように、前記第２ソレノイドにリンク機構（図示せず）を介して連結された可動片２６ａを有している。この可動片２６ａは、遊技盤２０の盤面に対して水平な軸２６ｂを中心として回動することが可能となっている。
【００４３】
第２ソレノイドに通電されていないとき、可動片２６ａは図１８（ａ）に示す非可動状態にある。この状態では、可動片２６ａはステージ６１の開口６２から落下した遊技球と衝突する突出位置にあり、始動口２３への入球経路はこの可動片２６ａによって阻止されているため、遊技球は始動口２３に受け入れられないようになっている。そして、受け入れられなかった遊技球は、阻止板５４上に落下した後に風車５５に衝突してアウト口２８に向かう方向に振り分けられるようになっている。なお、風車５５に衝突した遊技球は、始動口２３に入球しないようになっている。
【００４４】
一方、第２ソレノイドに通電されているとき、可動片２６ａは図１８（ａ）に示す非可動状態から時計回りに回動して図１８（ｂ）に示す可動状態にある。この状態では、可動片２６ａはステージ６１の開口６２から落下した遊技球と衝突しない退避位置にあり、始動口２３への入球経路はこの可動片２６ａによって露呈されているため、遊技球を始動口２３に入球させる方向に振り分けるようになっている。なお、図１８（ｂ）に示す可動状態が終了すると、可動片２６ａは反時計回りに回動し、図１８（ａ）に示す非可動状態に戻るようになっている。
【００４５】
第２振分装置２６が遊技球を始動口２３に入球させる方向に振り分ける割合は、可動片２６ａの開放時間および閉鎖時間を調整することにより、任意に設定することができる。例えば上述したように第１振分装置２５で１００球のうち２５球の遊技球が誘導通路２４に向かう方向に振り分けられた場合、２５球のうち６球の遊技球を始動口２３に入球させる方向に振り分けるようにし、１９球の遊技球をアウト口２８に向かう方向に振り分けるようにしてもよい。
【００４６】
以上説明したように、本実施形態例に係るパチンコ機Ｐは、遊技盤２０の遊技領域２１に配設された始動口２３に誘導可能な第１通路部（誘導部材）８０を備えており、この第１通路部８０は、遊技領域２１に固定された前側支持体５１に設けられた第１凹部（係合部）５１ｃと係合可能な第１凸部（取付部）６０ｇと、遊技領域２１に固定された後側支持体５２に設けられた第２凹部（係合部）５２ｅと係合可能な第２凸部（取付部）６０ｈとを有している。そして、第１凸部６０ｇは、第１凹部５１ｃに対して隙間を介して取り付けられるとともに、第２凸部６０ｈは、第２凹部５２ｅに対して隙間を介して取り付けられている。この構成によれば、パチンコ機Ｐに外部振動が付与されたとしても、第１凸部６０ｇと第１凹部５１ｃとの間に介在された隙間、および第２凸部６０ｈと第２凹部５２ｅとの間に介在された隙間によって、第１通路部８０に外部振動を伝達させないようにすることができる。例えばパチンコ機Ｐに弱い外部振動が付与されたとしても、上記隙間が介在するため、この外部振動を第１通路部８０の螺旋通路６０に伝達することはできず、第１通路部８０の螺旋通路６０上を転動する遊技球の動きを意図的にコントロールすることは不可能となり、不正に始動口２３への入球確率を高めることができないようになっている。したがって、始動口（入球部）２３への入球確率が安定する状態で遊技者に遊技を行わせることができる。
【００４７】
また、本実施形態例では、傾斜部６０ｂを有する螺旋通路６０の第１凸部（第１係合凸部）６０ｇと前側支持体５１の第１凹部（第１係合凹部）５１ｃとの上下方向における隙間の大きさＧ１は、螺旋通路６０の第２凸部（第２係合凸部）６０ｈと後側支持体５２の第２凹部（第２係合凹部）５２ｅとの上下方向における隙間の大きさＧ２よりも小さく設定されている。この構成によれば、遊技球が螺旋通路６０の受入部６０ａから傾斜部６０ｂを通るときに、遊技球の自重によって螺旋通路６０が遊技盤２０の背面側に傾いても、第１凸部６０ｇが第１凹部５１ｃに衝突する。これにより、螺旋通路６０が遊技盤２０の背面側に所定角度以上傾かなくなり、傾斜部６０ｂを通過した遊技球が転動部６０ｃの入口付近で停止してしまうことがなくなるため、螺旋通路６０に受け入れられた遊技球を排出孔６０ｄまで確実に導くことができる。また、螺旋通路６０が保持された状態では、上記隙間に起因する螺旋通路６０のガタつきの幅が遊技盤２０の前面側と背面側とで異なるようになっているので、螺旋通路６０を不規則な上下方向の振動をし得る誘導部材とすることができる。これにより、誘導通路２４によって誘導される遊技球の転動過程において、遊技球の動きのランダム性を向上させることができる。
【００４８】
また、本実施形態例では、第２通路部９０の上流側に螺旋通路６０が設けられており、第１振分装置２５によって誘導通路２４に受け入れられた遊技球が、螺旋通路６０で１球ずつスピードを緩めながら螺旋状に転動した後、第２通路部９０に排出されるようになっている。そのため、誘導通路２４に受け入れられた遊技球が即時に第２通路部９０に進入してしまうことはなく、第２通路部９０上で遊技球同士が衝突しないようになっている。したがって、第２通路部９０上で遊技球同士が衝突することに起因する始動口２３への入球頻度のバラつきを防止できる。
【００４９】
なお、本実施形態例では、第２通路部９０の上流側に螺旋通路６０を設けているが、螺旋通路６０を設ける代わりに、例えばクルーンを採用してもよい。図１９に示すように、クルーン６３は、皿形状に形成されており、外周部から中央部に向かって下方に傾斜する傾斜面６３ａと、傾斜面６３ａの中央に形成された排出孔６３ｂとを有している。このクルーン６３では、第１振分装置２５によって誘導通路２４に受け入れられた遊技球を傾斜面６３ａ上で転動させた後に、排出孔６３ｂから第２通路部９０に排出するようになっている。このように構成されたクルーンを採用した場合でも、上記実施形態例と同様の効果を奏することができる。
【００５０】
また、上記実施形態例では、本発明を構成する誘導部材の例として第１通路部８０を挙げて説明したが、これに限られない。誘導部材は、遊技領域２１を流下する遊技球と接触し、該接触に基づいて遊技球の流れを変更可能にする部材であればよい。このような部材として、例えば遊技盤２０の盤面に対して隆起する隆起部材、遊技球を転動させる通路部材、遊技球の流下速度もしくは流下時間を遅くさせるステージ部材、遊技球を通過させる筒状のゲート部材、または遊技領域２１を区画する区画部材等が含まれる。
【００５１】
また、上記実施形態例では、入球部の例として始動口２３（第１始動口、所謂ヘソ）を例に挙げて説明したが、これに限られない。例えば第２始動口、大入賞口、一般入賞口、またはこれらの球検知センサが配設された通過口であってもよい。
【００５２】
また、上記実施形態例では、遊技盤２０の遊技領域２１に固定されたベース本体５０に前側支持体５１および後側支持体５２が固定されていたが、これに限られない。例えばベース本体、前側支持体、後側支持体が一体に形成されて遊技領域２１に固定されるようにしてもよい。
【００５３】
また、上記実施形態例では、図１７に示すように、第１凹部５１ｃと第２凹部５２ｅの高さ寸法を同じ値にして、第１凸部６０ｇと第２凸部６０ｈの厚みを異なる値に設定したが、これに限られない。例えば第１凸部６０ｇと第２凸部６０ｈの厚みを同じ値に設定して、第１凹部５１ｃの高さ寸法を第２凹部５２ｅの高さ寸法よりも小さく設定してもよい。こうすることによっても、第１凸部６０ｇと第１凹部５１ｃとの上下方向における隙間の大きさを、第２凸部６０ｈと第２凹部５２ｅとの上下方向における隙間の大きさよりも小さく設定できるので、上記実施形態例と同様の効果を奏することができる。
【００５４】
また、本発明では、第１凸部６０ｇと第１凹部５１ｃとの間の隙間、および第２凸部６０ｈと第２凹部５２ｅとの間の隙間の大きさを同じ値に設定し、この同じ値に設定された隙間の大きさに起因する螺旋通路６０のガタツキの幅を同じ値になるように設定してもよい。
【００５５】
また、上記実施形態例では、第１振分装置２５は可動片２５ａを有する構成となっており、第２振分装置２６は可動片２６ａを有する構成となっていたいが、これに限られない。例えば第１振分装置２５および第２振分装置２６はそれぞれ、一対の羽根部材を有する構成であってもよい。また、可動片２５ａ，２６ａや一対の羽根部材の形状は、特に限定されることはなく、種々の形状を採用することができる。
【００５６】
また、上記実施形態例では、螺旋通路６０に第１凸部６０ｇ、第２凸部６０ｈおよび第３凸部６０ｉを設け、前側支持体５１に第１凹部５１ｃを設け、後側支持体５２に第２凹部５２ｅおよび第３凹部５３ｆを設けていたが、これに限られない。例えば螺旋通路６０に第１〜第３凹部を設け、前側支持体５１に第１凸部を設け、後側支持体に第２凸部および第３凸部を設けるようにしてもよい。
【００５７】
また、上記実施形態例では、螺旋通路６０の第１凸部６０ｇと前側支持体５１の第１凹部５１ｃとの間、螺旋通路６０の第２凸部６０ｈと後側支持体５２の第２凹部５２ｅとの間、および螺旋通路６０の第３凸部６０ｉと後側支持体５２の第３凹部５２ｆとの間にそれぞれ隙間を介在させ、これら隙間によって外部振動が螺旋通路６０に伝達しないようにしていたが、これに限られない。例えばそれぞれの隙間に、ゴム等の弾性部材やスポンジ等の振動吸収部材を配置し、これら振動吸収部材によって外部振動が螺旋通路６０に伝達しないようにしてもよい。このように構成した場合でも、上記実施形態例と同様の効果を奏することができる。
【００５８】
また、上記実施形態例では、螺旋通路６０の右側下端部に後側支持体５２の第３凹部５２ｆに係合する第３凸部６０ｉが設けられていたが、これら第３凸部６０ｉおよび第３凹部５２ｆは設けない構成であってもよい。
【００５９】
また、上記実施形態例では、螺旋通路６０の傾斜部６０ｂの下方に台座部６０ｆを設けており、この台座部６０ｆに第１凸部６０ｇと第２凸部６０ｈとを設けていたが、これに限られない。例えば台座部６０ｆを設けることなく、螺旋通路６０の周壁面の前方部分および後方部分に第１凸部と第２凸部を設けるようにしてもよい。
【００６０】
また、上記実施形態例では、螺旋通路６０を前側支持体５１および後側支持体５２によって前後方向から挟み込んで保持するようにしていたが、これに限られない。例えば螺旋通路６０を左右方向から挟み込んで保持するようにしてもよい。この場合、螺旋通路６０を左方から支持する左側支持体と右側から支持する右側支持体を設け、左側支持体に第１凹部を形成するとともに、右側支持体に第２凹部を形成し、螺旋通路６０の台座部６０ｆに第１凹部と係合する第１凸部を形成するとともに、第２凹部と係合する第２凸部を形成すればよい。
【符号の説明】
【００６１】
Ｐ    パチンコ機（遊技機）
２０    遊技盤
２１    遊技領域
２３    始動口（入球部）
５１ｃ  第１凹部（係合部）
５２ｅ  第２凹部（係合部）
６０ｇ  第１凸部（取付部）
６０ｈ  第２凸部（取付部）
８０    第１通路部（誘導部材）
【図１】
2020195422.tif 000003
【図２】
2020195422.tif 000004
【図３】
2020195422.tif 000005
【図４】
2020195422.tif 000006
【図５】
2020195422.tif 000007
【図６】
2020195422.tif 000008
【図７】
2020195422.tif 000009
【図８】
2020195422.tif 000010
【図９】
2020195422.tif 000011
【図１０】
2020195422.tif 000012
【図１１】
2020195422.tif 000013
【図１２】
2020195422.tif 000014
【図１３】
2020195422.tif 000015
【図１４】
2020195422.tif 000016
【図１５】
2020195422.tif 000017
【図１６】
2020195422.tif 000018
【図１７】
2020195422.tif 000019
【図１８】
2020195422.tif 000020
【図１９】
2020195422.tif 000021